(57)【特許請求の範囲】
【請求項１】
表示部と、
複数のアプリケーションプログラムを記憶する記憶部と、
前記表示部が設けられた領域とは異なる領域に設けられ、ユーザによる接触を検知する複数の接触検知部と、
前記複数の接触検知部により検知されたユーザによる接触の数が少なくとも２以上の数を満たすか否かを判断する第１判断部と、
前記第１判断部により少なくとも２以上の数を満たすと判断された場合に、ユーザの接触を検出した接触検知部の組合せが特定の組合せであるか否かを判断する第２判断部と、
前記第２判断部により特定の組合せであると判断された場合に、第１判断部により判断されたユーザによる接触とは異なるユーザによる接触の数が所定の数を満たしているか否かを判断する第３判断部と、
前記第３判断部により前記所定の数を満たしていると判断された場合に、前記第３判断部により判断されたユーザによる接触の位置が遷移したか否かを判断する第４判断部と、
前記第４判断部により接触された位置が遷移したと判断された場合に、前記記憶部に記憶されている複数のアプリケーションのうち、少なくとも１つ以上のアプリケーションプログラムを実行する実行部と、
を有する携帯電子機器。
【請求項２】
前記実行部により実行されたアプリケーションプログラムに関する画像を前記表示部に表示させる表示制御部と、を更に備え、
前記表示制御部は、ユーザにより接触された位置の遷移した方向に応じて、前記表示部に表示する画像の向きを異ならせること、
を特徴とする請求項１に記載の携帯電子機器。
【請求項３】
前記所定の数は、２であること、
を特徴とする請求項１又は請求項２に記載の携帯電子機器。
【請求項４】
前記複数の接触検知部は、少なくとも4つ以上の接触検知部を有すること、
を特徴とする請求項１乃至請求項３のいずれか１項に記載の携帯電子機器。
【請求項５】
少なくとも６つの面を有し、第１の面と第２の面、第３の面と第４の面、第５の面と第６の面が夫々対面する関係にある筐体を有し、
前記表示部は第１の面に設けられ、
前記複数の接触検知部は、第３の面乃至第６の面に設けられ、
前記特定の組合せとは、第３の面と第４の面とに設けられた接触検知部が夫々接触を検知する又は第５の面と第６の面とに設けられた接触検知部が夫々接触を検知すること、
を特徴とする請求項１乃至請求項４のいずれか１項に記載の携帯電子機器。
【請求項６】
前記表示制御部は、ユーザにより接触された位置の遷移量に応じて、前記表示部に表示する画像の大きさを制御すること、
を特徴とする請求項２に記載の携帯電子機器。
【発明の詳細な説明】
【技術分野】
【０００１】
本発明は、タッチパネルディスプレイを有する携帯電子機器に関する。
【背景技術】
【０００２】
従来より、携帯電話端末やＰＤＡ等のような携帯型電子装置は、ユーザが常時持ち歩くことを考慮して筐体の小型化が要求されている一方で、例えば電子メールの文章や写真画像、ウェブ画面を表示すること等を考慮して、液晶等の表示デバイスの表示画面をより大きくすることが求められている。
【０００３】
また、近年の携帯電子機器は、パソコン等に引けを取らないような複雑な機能を実現できるようになっている。ディスプレイに選択されているアイコンを選択する場合には、ユーザは、表示されているアイコンを直接押下することで選択することができる。
【先行技術文献】
【特許文献】
【０００４】
【特許文献１】特開２００６−３１１２２４号公報
【特許文献２】特開２００４−２００８５３号公報
【発明の概要】
【発明が解決しようとする課題】
【０００５】
上述のような携帯電子機器において、ユーザはアプリケーションプログラムを実行するには、アプリケーションプログラムを検索しなければならない。携帯電子機器に保存されているアプリケーションプログラムが少ない場合には、ユーザは、実行したいアプリケーションを容易に探すことができる。
【０００６】
しかしながら、携帯電子機器に保存されるアプリケーションプログラムの数が増えれば増えるほど、ユーザは実行したいアプリケーションを探すのに手間がかかる虞がある。
【０００７】
そこで、本発明は係る問題に鑑みてなされたものであり、ユーザがアプリケーションを実行する場合に、アプリケーションを実行するまでの手間を低減することが可能な携帯電子機器を提供することを目的とする。
【課題を解決するための手段】
【０００８】
上記課題を解決するために、本発明に係る携帯電子装置は、表示部と、複数のアプリケーションプログラムを記憶する記憶部と、前記表示部が設けられた領域とは異なる領域に設けられ、ユーザによる接触を検知する複数の接触検知部と、前記接触検知部により検知されたユーザによる接触の数が所定の数を満たすか否かを判断する第１判断部と、前記第１判断部により所定の数を満たすと判断された場合に、ユーザにより接触された位置が遷移したか否かを判断する第２判断部と、前記第２判断部により接触された位置が遷移したと判断された場合に、前記記憶部に記憶されている複数のアプリケーションのうち、少なくとも１つ以上のアプリケーションプログラムを実行する実行部と、を有することを特徴とする。
【発明の効果】
【０００９】
上記構成を備えることにより、ユーザは、アプリケーションを実行するまでの手間を低減することができる。
【図面の簡単な説明】
【００１０】
【図１】携帯電話機１００の外観斜視図である。
【図２】携帯電話機１００の構成図である。
【図３】携帯電話機１００を側面から見た図である。
【図４】スライド操作を説明するための図である。
【図５】スライド操作を説明するための図である。
【図６】スライド操作を説明するための図である。
【図７】スライド操作を説明するための図である。
【図８】携帯電話機１００にて行われる処理を説明するためのフローチャートである。
【図９】スライド操作を説明するための図である。
【図１０】スライド操作を説明するための図である。
【発明を実施するための形態】
【００１１】
以下、本発明に係る携帯電子機器の実施の形態としての携帯電話機１００について説明する。
【００１２】
図１は、携帯電話機１００の外観斜視図である。筐体には、タッチパネル１０２、スピーカ１０３、マイク１０４、及び操作部１０５が設けられている。タッチパネル１０２には、ユーザからの指示に基づいて、カーソルキーやテンキー等のキー群やアイコン等が表示される。
【００１３】
また、携帯電話機１００の側面には、第１タッチセンサ１０７、第２タッチセンサ１０８、第３タッチセンサ１０９、第４タッチセンサ１１０が設けられている。第１〜第４タッチセンサ１１０を総称してタッチセンサ１０６と称する場合がある。尚、第１タッチセンサ１０７は、携帯電話機１００を矢印２００の方向から見た場合の側面に設けられている。第２タッチセンサ１０８は、携帯電話機１００を矢印２０１の方向から見た場合の側面に設けられている。第３タッチセンサ１０９は、携帯電話機１００を矢印２０２の方向から見た場合の側面に設けられている。第４タッチセンサ１１０は、携帯電話機１００を矢印２０３の方向から見た場合の側面に設けられている。図３は、携帯電話機１００を矢印２００の方向から見た場合の側面を示す図である。斜線で囲まれた領域に第１タッチセンサ１０７が設けられている。他のタッチセンサについても同様である。
【００１４】
図２は、携帯電話機１００の構成図である。携帯電話機１００は、無線部１１２、マイク１０４、スピーカ１０３、信号処理部１２３、操作部１０５、タッチパネル１０２、タッチセンサ１０６、記憶部１１３、及び制御部１１４により構成される。
【００１５】
無線部１１２は、アンテナ１１１を介して送受信する信号の変復調を行う。また無線部１１２は、アンテナ１１１を介して、他の携帯電話機１００から送信された通話要求を受信することができる。無線部１１２は、他の携帯電話機１００が送信した通話要求を受信することができる。無線部１１２は、受信した通話要求を制御部１１４に出力する。また無線部１１２は、他の携帯電話機１００から送信された電子メール等のデータを受信し、制御部１１４へ出力することができる。
【００１６】
信号処理部１２３は、マイク１０４から入力される音声信号を無線部１１２を介して送信するための処理や、アンテナ１１１から無線部１１２を介して受信した音声信号をスピーカ１０３へ出力するための処理を行う。
【００１７】
マイク１０４は、入力された音声を音声信号として信号処理部１２３へ出力する。
【００１８】
スピーカ１０３は、信号処理部１２３にて処理された音声信号又は制御部１１４より受け取った音声データを音声として出力する。
【００１９】
操作部１０５は、ユーザによる操作を受け付けることができる。操作部１０５は受け付けた操作を制御部１１４に出力する。操作部１０５は、ハードキー等により構成される。
【００２０】
タッチパネル１０２は表示部１１５及び入力部１１６を有する。
【００２１】
表示部１１５は、ＬＣＤ（Ｌｉｑｕｉｄ  Ｃｒｙｓｔａｌ  Ｄｉｓｐｌａｙ）を含み、制御部１１４からの指示に基づいて、文字やアイコン等の画像、  入力部１１６は、ユーザによるタッチを検出し、検出している間、単位時間（例えば１／６０秒）毎に、タッチしている位置の座標値を、制御部１１４及び記憶部１１３に出力する。タッチとは、ユーザが指等で入力部１１６を触ることである。デタッチとは、ユーザが指で入力部１１６を触れている場合に、触れている指を入力部１１６から離すことである。スライドとは、ユーザが指で入力部１１６に触れている場合に、触れているユーザの指が接触を維持しながら移動することである。入力部１１６は、座標値を検出するとタッチされたと判断する。入力部１１６が、検出している座標値が検出されなくなったらデタッチと判断する。入力部１１６は、検出している座標値が時間と共に変化している場合は、スライドと判断する。尚、入力部１１６に触れるのは、ユーザの指だけに限らない。ユーザの指以外のペン等でもよい。入力部１１６は、一般的なタッチパネル１０２で用いられている抵抗膜方式、光学式、静電容量結合式等の何れの方法で実現するものであってもよい。また、入力部１１６は、ユーザによるタッチを同時に複数検出することができる。入力部１１６は、ユーザによるタッチを一つ検出している場合において、ユーザによる新たなタッチを検出することができる。入力部１１６は、既にタッチされている位置の座標値と、新たにタッチされた位置の座標値とを制御部１１４に出力することができる。
【００２２】
タッチセンサ１０６は、ユーザによる接触を検知することができる。タッチセンサ１０６は、少なくとも第１〜第４タッチセンサ１１０を含んで構成される。第１〜第４タッチセンサ１１０は、携帯電話機１００の側面の表面又は内部に設けられ、ユーザによるタッチを検出し、検出している間、単位時間（例えば１／６０秒）毎に、その位置の座標値を、制御部１１４を介して記憶部１１３に出力する。尚、タッチセンサ１０６は、タッチパネル１０２等で用いられている抵抗膜方式、光学式、静電容量結合式等の何れの方法で実現するものであってもよい。
【００２３】
記憶部１１３は、ＲＯＭ、ＲＡＭ、ＥＥＰＲＯＭ、不揮発性ＲＡＭ、フラッシュメモリ、ＨＤＤ等で構成され、制御部１１４で処理されるプログラム等を記憶する。
【００２４】
また、記憶部１１３は、複数のアプリケーションプログラムを記憶することができる。記憶部１１３は、複数のアプリケーションプログラムを記憶する際に、後述するスライド操作によって実行されるアプリケーションか否かを関連付けて記憶することができる。
【００２５】
また、記憶部１１３は、ユーザによるタッチを検出している間、入力部１１６又はタッチセンサ１０６から出力される座標値を単位時間（例えば１／６０秒）毎に記憶する機能を有する。つまり、記憶部１１３は、タッチ状態からデタッチ状態までの間に出力された座標値を記憶することができる。また、記憶部１１３は、少なくとも１つ以上の携帯電話番号を記憶することができる。
【００２６】
制御部１１４は、第１条件判断部１１７、第２条件判断部１１８、第３条件判断部１１９、第４条件判断部１２０、アプリケーション実行部１２１、表示制御部１２２、を含み、携帯電話機１００の全体動作の制御を行う。制御部１１４は、例えばＣＰＵ（Central Processing Unit）などの処理手段である。
【００２７】
第１条件判断部１１７は、タッチセンサ１０６にて検知された接触位置が少なくとも２つあるか否かを判断する。第１条件判断部１１７は、２以上あると判断した場合には、その旨を第２条件判断部１１８に出力する。
【００２８】
第２条件判断部１１８は、２つの接触位置がどのタッチセンサで検出されたかを特定し、検出されたタッチセンサの組合せが特定の組合せに該当するか否かを判断する。特定の組合せとは、互いに対向するタッチセンサで検出されたか否かである。互いに対向するタッチセンサとは、第１タッチセンサ１０７と第３タッチセンサ１０９、第２タッチセンサ１０８と第４タッチセンサ１１０である。第２条件判断部１１８は、例えば第１条件判断部１１７により２つの接触位置が検出されたと判断された場合に、検出された接触位置が、第１タッチセンサ１０７と第３タッチセンサ１０９にて夫々検出された接触位置であるときは、特定の組合せに該当すると判断する。第２条件判断部１１８は、例えば第１条件判断部１１７により２つの接触位置が検出されたと判断された場合に、検出された接触位置が、第２タッチセンサ１０８と第４タッチセンサ１１０にて夫々検出された接触位置であるときは、特定の組合せに該当すると判断する。第２条件判断部１１８は、例えば第１条件判断部１１７により２つの接触位置が検出されたと判断された場合に、検出された接触位置が、第２タッチセンサ１０８と第３タッチセンサ１０９にて夫々検出された接触位置であるときは、特定の組合せに該当しないと判断する。第２条件判断部１１８は、例えば第１条件判断部１１７により２つの接触位置が検出されたと判断された場合に、検出された接触位置が第２タッチセンサ１０８と第１タッチセンサ１０７にて夫々検出された接触位置であるときは、特定の組合せに該当しないと判断する。
【００２９】
第３条件判断部１１９は、第２条件判断部１１８により特定の組合せに該当すると判断された場合に、判断された接触位置以外に２つの接触位置があるか否かを判断する。第３条件判断部１１９は、２つの接触位置があると判断した場合には、その結果を第４条件判断部１２０に出力する。
【００３０】
第４条件判断部１２０は、第３条件判断部１１９により検出された２つの接触位置が特定の条件を満たすか否かを判断する。特定の条件とは、２つの接触位置が単位時間毎に遷移したか否かである。つまり、第４条件判断部１２０は、２つの接触位置が移動したか否かを判断する。第４条件判断部１２０は、２つの接触位置が遷移したと判断したときは、その結果を表示制御部１２２に出力する。
【００３１】
第１条件判断部１１７から第４条件判断部１２０の全てを満たした操作を、本実施の形態ではスライド操作と称する。
【００３２】
アプリケーション実行部１２１は、記憶部１１３に記憶されたアプリケーションプログラムを実行することができる。アプリケーション実行部１２１は、スライド操作が検出された場合には、予め定められたアプリケーションプログラムを実行する。本実施の形態においては、予め定められたアプリケーションとしてメール作成に関するアプリケーションを用いて説明する。尚、予め定められたアプリケーションプログラムはメール作成に関するアプリケーション以外であってもよい。
【００３３】
表示制御部１２２は、表示部１１５に表示する画面を制御することができる。表示制御部１２２は、アプリケーション実行部１２１により実行されたアプリケーションプログラムに関する画面を表示部１１５に表示させる。
【００３４】
次に、図４乃至図７を用いて、スライド操作を検出し、アプリケーションが実行される
までの例を説明する。
【００３５】
図４は、待ち受け画面において、タッチセンサにユーザが接触していることを示している（接触位置Ａ３０１、接触位置Ｂ３０２）。尚、本実施の形態において、斜線で示される領域はタッチセンサを示している。第１条件判断部１１７は、２つの接触が検出されているので、その結果を第２条件判断部１１８に出力する。第２条件判断部１１８は、接触位置Ａ３０１は第３タッチセンサ１０９により検出され、接触位置Ｂ３０２は第１タッチセンサ１０７により検出されているので、その結果を第３条件判断部１１９に出力する。図４においては、接触位置Ａ３０１、接触位置Ｂ３０２しか検出されていないので、第３条件判断部１１９は条件に該当しないと判断する。尚、図４において、タッチパネル１０２には複数のアイコン４０１が表示されている。アイコン４０１は、アプリケーションプログラムを示しており、ユーザはアイコン４０１をタッチすることで、アイコン４０１に対応するアプリケーションプログラムを実行することができる。図５、６、９においても同様である。
【００３６】
図５は、タッチセンサ１０６にユーザが追加して接触したことを示している（接触位置Ｃ３０３、接触位置Ｄ３０４）。第３条件判断部１１９は、接触位置Ａ３０１及び接触位置Ｂ３０２以外に新たな接触位置Ｃ３０３及び接触位置Ｄ３０４が検出されたので、第３条件判断部１１９は条件に該当すると判断し、その結果を第４条件判断部１２０に出力する。第４条件判断部１２０は、接触位置Ｃ３０３及び接触位置Ｄ３０４は遷移していないので、条件には該当しないと判断する。
【００３７】
図６は、接触位置Ｃ３０３及び接触位置Ｄ３０４が遷移したことを示している。接触位置Ｃ３０３は、矢印２０４の方向に遷移し、接触位置Ｄ３０４は、矢印２０５の方向に遷移している。第４条件判断部１２０は、接触位置Ｃ３０３及び接触位置Ｄ３０４が遷移したので、条件に該当すると判断し、その結果をアプリケーション実行部１２１に出力する。尚、図４乃至図６までがスライド操作と判断される過程である。
【００３８】
図７は、スライド操作が検出された後に表示部１１５に表示される画面を示している。アプリケーション実行部１２１は、スライド操作が検出された場合に、スライド操作と関連付けられたアプリケーションプログラムを実行する。表示制御部１２２は、実行されたアプリケーションに関する画面を表示部１１５に表示させる。図７は、スライド操作と関連付けられたアプリケーションプログラムの例として、メール作成画面が実行された画面である。図７では、入力する文字又は数字が表示された領域と、入力された文字を表示する領域とが表示されている。尚、図７では、日本語の各行が一つのキーに割り当てられている。例えば「あ」にはあ行が割り与えられている。
次に、携帯電話機１００の動作について、図８を用いて説明する。
【００３９】
タッチセンサ１０６は、ユーザによる接触を検出した場合に、接触位置に関する情報を第１条件判断部１１７に出力する（Ｓ１）。第１条件判断部１１７は、タッチセンサ１０６により検出された接触位置が少なくとも２以上あるか否かを判断する（Ｓ２）。第１条件判断部１１７は、タッチセンサ１０６により検出された接触位置が少なくとも２以上あると判断した場合は（Ｓ２のＹＥＳ）、その結果を第２条件判断部１１８に出力する。
【００４０】
次に第２条件判断部１１８は、第１条件判断部１１７により判断の対象となったユーザの接触が検出されたタッチセンサ１０６の組合せが特定の組合せか否かを判断する（Ｓ３）。第２条件判断部１１８は、組合せが特定の組合せと判断された場合に、その結果を第３条件判断部１１９に出力する（Ｓ３のＹＥＳ）。
【００４１】
次に第３条件判断部１１９は、判断された接触位置以外に２つの接触位置があるか否か
を判断する（Ｓ４）。第３条件判断部１１９は、判断された接触位置以外に２つの接触位置があると判断した場合は、その結果を第４条件判断部１２０に出力する（Ｓ４のＹＥＳ）。
【００４２】
次に第４条件判断部１２０は、第３条件判断部１１９により判断された２つの接触位置が単位時間毎に遷移したか否かを判断する（Ｓ５）。第４条件判断部１２０は、２つの接触位置が単位時間毎に遷移したと判断したときは、その結果をアプリケーション実行部１２１に出力する（Ｓ５のＹＥＳ）。
【００４３】
次にアプリケーション実行部１２１は、第４条件判断部１２０から結果が出力されると、スライド操作が実行されたと判断する（Ｓ６）。アプリケーション実行部１２１は、スライド操作に関連付けられたアプリケーションプログラムを実行する（Ｓ７）。表示制御部１２２は、実行されたアプリケーションプログラムに関する画面を表示部１１５に表示させる（Ｓ８）。
【００４４】
以上の動作により、ユーザは、タッチセンサ１０６を用いて特定のアプリケーションを実行することができる。
〔その他の実施形態〕
（１）本実施の形態では、スライド操作が検出された場合に実行されるアプリケーションとしてメール作成に関するプリケーションプログラムを用いて説明したが、必ずしもこの場合に限られない。スライド操作が検出された場合に実行されるアプリケーションとして、テレビ放送の受信に関するアプリケーション、カメラを用いた撮影に関するアプリケーション、でもよい。また、携帯電話機１００は、スライド操作を検出した場合に、他の携帯電話機１００に発信するための電話番号を表示してもよい。
【００４５】
またスライド操作は、スライド型の携帯電話機を閉じた状態から開いた状態に遷移させる操作に似ている。そのため、スライド型の携帯電話機が開いた状態になると文字入力を受け付けるハードキーが露出するのと同様に、スライド操作が検出された場合に、表示制御部１２２は、例えば図７、図１０等の示されるキー入力画面を表示部１１５に表示させることでもよい。これによりユーザは、図１のようなスライド型の携帯電話機とは異なる携帯電話機であっても、スライド型の携帯電話機と同じような使用感覚でキー入力画面を表示させることができる。これにより、ユーザは、例えばキー入力画面を表示させるためのアイコンを探す手間を低減することができ、かつ直感的にキー入力部を表示部１１５に表示させることができる。
【００４６】
（２）第２条件判断部１１８は更に、第３条件判断部１１９により判断された２つの接触位置を検出したタッチセンサの組合せが特定の組合せに該当するか否かを判断してもよい。第４条件判断部１２０は、第２条件判断部１１８により、第３条件判断部１１９により判断された２つの接触位置を検出したタッチセンサの組合せが特定の組合せに該当すると判断された場合に、２つの接触位置が単位時間毎に遷移したか否かを判断してもよい。
【００４７】
（３）表示制御部１２２は、第４条件判断部１２０において検出された接触位置の遷移に基づいて、画面の表示を制御してもよい。例え表示制御部１２２は、図６における接触位置Ｃ３０３及び接触位置Ｄ３０４が矢印２０４、２０５の方向に遷移したのに応じて、図７のように画面を表示してもよい。また、表示制御部１２２は、図９に示されるように、接触位置Ｃ３０３が第２タッチセンサ１０８、接触位置Ｄ３０４が第４タッチセンサ１１０にて検出された場合は、表示制御部１２２は、図１０に示すように、表示部１１５に画面を表示させてもよい。図７と図１０では遷移方向が異なるために、表示される画面の向きが異なる。図１０に表示される操作キーは一例として、ＱＷＥＲＴＹ形式で記載している。
【００４８】
（４）表示制御部１２２は、接触位置Ｃ３０３及び接触位置Ｄ３０４の遷移に合わせて、実行されるアプリケーションに関する画面を表示させてもよい。つまり、表示制御部１２２は、接触位置Ｃ３０３及び接触位置Ｄ３０４の遷移量だけ画面を表示させる。遷移量が大きければ大きいほど表示される画面の大きさが変わる。
【００４９】
（５）本実施の形態では、第１条件判断部１１７から第４条件判断部１２０までで行われる判断に一つでも該当しない場合は、Ｓ１に戻ることで記載したが、必ずしもこの場合に限らない。第１条件判断部１１７から第４条件判断部１２０までのうち、どの条件判断部による条件を満たさなかったかに応じて、実行するアプリケーションを定めても良い。例えば、第２条件判断部１１８による条件を満たした場合において第３条件判断部１１９による条件を満たさなかったときは、例えばカメラを起動してもよい。例えば、第３条件判断部１１９による条件を満たした場合において第４条件判断部１２０による条件を満たさなかったときは、例えば音楽再生アプリケーションを起動してもよい。尚、実行されるアプリケーションはこの場合に限定されることはなく、ユーザにより適宜設定されてもよい。
【００５０】
（６）本実施の形態では、第１〜第４タッチセンサ１１０を備えることで記載したが、必ずしもこの場合に限られない。一つのタッチセンサで携帯電話機１００の側面を覆ってもよい。
【００５１】
（７）本実施の形態では、携帯電話機１００を用いて説明したが、必ずしも携帯電話機１００に限られない。ＰＤＡ等の通信機能を備えた携帯電子機器であれば本発明を実施することができる。
【符号の説明】
【００５２】
１０２  タッチパネル
１０３  スピーカ
１０４  マイク
１０５  操作部
１０６  タッチセンサ
１０７  第１タッチセンサ
１０８  第２タッチセンサ
１０９  第３タッチセンサ
１１０  第４タッチセンサ
１１１  アンテナ
１１２  無線部
１１３  記憶部
１１４  制御部
１１５  表示部
１１６  入力部
１１７  第１条件判断部
１１８  第２条件判断部
１１９  第３条件判断部
１２０  第４条件判断部
１２１  アプリケーション実行部
１２２  表示制御部
１２３  信号処理部
【図１】
0005766083.tif 000002
【図２】
0005766083.tif 000003
【図３】
0005766083.tif 000004
【図４】
0005766083.tif 000005
【図５】
0005766083.tif 000006
【図６】
0005766083.tif 000007
【図７】
0005766083.tif 000008
【図８】
0005766083.tif 000009
【図９】
0005766083.tif 000010
【図１０】
0005766083.tif 000011